(57)【特許請求の範囲】
【請求項１】
荷物が搬出される搬出路を撮影する複数の撮影装置と通信可能な情報処理装置であって、
荷物とその持ち主を示す情報とを対応付けて記憶する記憶手段と、
前記撮影装置により撮影された画像を取得する画像取得手段と、
前記画像取得手段により取得した画像を撮影した撮影装置を識別する撮影装置識別手段と、
前記撮影装置識別手段により識別された撮影装置により撮影された画像に含まれる荷物の現時点の位置と、前記搬出路が荷物を搬出する速度と、に基づき、所定時間後の荷物の位置を特定する位置特定手段と、
前記画像取得手段により取得された画像を解析することで、前記搬出路上の荷物を認識する認識手段と、
前記認識手段により認識された荷物に対応付けられた持ち主に対して、当該持ち主の荷物の搬出が開始された旨の通知をする通知手段と、
を備え、
前記通知手段は、さらに、前記位置特定手段により特定された所定時間後の荷物の位置を、当該荷物の持ち主に対して通知することを特徴とする情報処理装置。
【請求項２】
荷物が搬出される搬出路を撮影する複数の撮影装置と通信可能な情報処理装置であって、
荷物とその持ち主を示す情報とを対応付けて記憶する記憶手段と、
前記撮影装置により撮影された画像を取得する画像取得手段と、
前記画像取得手段により取得した画像を撮影した撮影装置を識別する撮影装置識別手段と、
前記撮影装置識別手段により識別された撮影装置と、前記画像取得手段により取得した画像に基づき、前記搬出路から荷物が取られた位置を特定する位置特定手段と、
前記画像取得手段により取得された画像を解析することで、前記搬出路上の荷物を認識する認識手段と、
前記認識手段により認識された荷物に対応付けられた持ち主に対して、当該持ち主の荷物の搬出が開始された旨の通知をする通知手段と、
を備え、
前記通知手段は、さらに、前記位置特定手段により特定された荷物が取られた位置を、当該荷物の持ち主に対して通知することを特徴とする情報処理装置。
【請求項３】
前記画像取得手段により取得した画像に基づき、搬出路から荷物が取られたかを判定する判定手段をさらに備え、
前記通知手段は、前記判定手段により荷物が取られたと判定した場合、当該荷物の持ち主に対して荷物が取られた旨を通知することを特徴とする請求項１または２に記載の情報処理装置。
【請求項４】
前記位置特定手段は、さらに、
前記撮影装置識別手段により識別された撮影装置に基づき、当該撮影装置により撮影された画像に含まれる荷物の位置を特定することを特徴とし、
前記通知手段は、さらに、前記位置特定手段により特定された位置を、当該荷物の持ち主に対して通知することを特徴とする請求項１乃至３のいずれか１項に記載の情報処理装置。
【請求項５】
前記記憶手段は、二次元コードにより特定される識別情報と持ち主を示す情報とを対応付けて記憶することを特徴とし、
前記認識手段は、前記荷物に付与された二次元コードを認識することを特徴とし、
前記通知手段は、前記認識手段により認識された二次元コードにより特定される識別情報に対応付けて記憶された持ち主に対して、荷物の搬出が開始された旨を通知することを特徴とする請求項１に記載の情報処理装置。
【請求項６】
荷物が搬出される搬出路を撮影する複数の撮影装置と通信可能であって、荷物とその持ち主を示す情報とを対応付けて記憶する記憶手段を備える情報処理装置における情報処理方法であって、
前記情報処理装置の画像取得手段が、前記撮影装置により撮影された画像を取得する画像取得工程と、
前記情報処理装置の撮影装置識別手段が、前記画像取得工程により取得した画像を撮影した撮影装置を識別する撮影装置識別工程と、
前記情報処理装置の位置特定手段が、前記撮影装置識別工程により識別された撮影装置により撮影された画像に含まれる荷物の現時点の位置と、前記搬出路が荷物を搬出する速度と、に基づき、所定時間後の荷物の位置を特定する位置特定工程と、
前記情報処理装置の認識手段が、前記画像取得工程により取得された画像を解析することで、前記搬出路上の荷物を認識する認識工程と、
前記情報処理装置の通知手段が、前記認識工程により認識された荷物に対応付けられた持ち主に対して、当該持ち主の荷物の搬出が開始された旨の通知をする通知工程と、
を備え、
前記通知工程は、さらに、前記位置特定工程により特定された所定時間後の荷物の位置を、当該荷物の持ち主に対して通知することを特徴とする情報処理方法。
【請求項７】
荷物が搬出される搬出路を撮影する複数の撮影装置と通信可能であって、荷物とその持ち主を示す情報とを対応付けて記憶する記憶手段を備える情報処理装置において実行可能なプログラムであって、
前記情報処理装置を、
前記撮影装置により撮影された画像を取得する画像取得手段と、
前記画像取得手段により取得した画像を撮影した撮影装置を識別する撮影装置識別手段と、
前記撮影装置識別手段により識別された撮影装置により撮影された画像に含まれる荷物の現時点の位置と、前記搬出路が荷物を搬出する速度と、に基づき、所定時間後の荷物の位置を特定する位置特定手段と、
前記画像取得手段により取得された画像を解析することで、前記搬出路上の荷物を認識する認識手段と、
前記認識手段により認識された荷物に対応付けられた持ち主に対して、当該持ち主の荷物の搬出が開始された旨の通知をする通知手段として機能させ、
前記通知手段を、さらに、前記位置特定手段により特定された所定時間後の荷物の位置を、当該荷物の持ち主に対して通知する手段として機能させるためのプログラム。
【請求項８】
荷物が搬出される搬出路を撮影する複数の撮影装置と通信可能であって、荷物とその持ち主を示す情報とを対応付けて記憶する記憶手段を備える情報処理装置における情報処理方法であって、
前記情報処理装置の画像取得手段が、前記撮影装置により撮影された画像を取得する画像取得工程と、
前記情報処理装置の撮影装置識別手段が、前記画像取得工程により取得した画像を撮影した撮影装置を識別する撮影装置識別工程と、
前記情報処理装置の位置特定手段が、前記撮影装置識別工程により識別された撮影装置と、前記画像取得工程により取得した画像に基づき、前記搬出路から荷物が取られた位置を特定する位置特定工程と、
前記情報処理装置の認識手段が、前記画像取得工程により取得された画像を解析することで、前記搬出路上の荷物を認識する認識工程と、
前記情報処理装置の通知手段が、前記認識工程により認識された荷物に対応付けられた持ち主に対して、当該持ち主の荷物の搬出が開始された旨の通知をする通知工程と、
を備え、
前記通知工程は、さらに、前記位置特定工程により特定された荷物が取られた位置を、当該荷物の持ち主に対して通知する通知工程と、
を備えることを特徴とする情報処理方法。
【請求項９】
荷物が搬出される搬出路を撮影する複数の撮影装置と通信可能であって、荷物とその持ち主を示す情報とを対応付けて記憶する記憶手段を備える情報処理装置において実行可能なプログラムであって、
前記情報処理装置を、
前記撮影装置により撮影された画像を取得する画像取得手段と、
前記画像取得手段により取得した画像を撮影した撮影装置を識別する撮影装置識別手段と、
前記撮影装置識別手段により識別された撮影装置と、前記画像取得手段により取得した画像に基づき、前記搬出路から荷物が取られた位置を特定する位置特定手段と、
前記画像取得手段により取得された画像を解析することで、前記搬出路上の荷物を認識する認識手段と、
前記認識手段により認識された荷物に対応付けられた持ち主に対して、当該持ち主の荷物の搬出が開始された旨の通知をする通知手段として機能させ、
前記通知手段を、さらに、前記位置特定手段により特定された荷物が取られた位置を、当該荷物の持ち主に対して通知する通知手段として機能させるためのプログラム。
【発明の詳細な説明】
【技術分野】
【０００１】
本発明は、情報処理装置、情報処理方法、プログラムに関する。
【背景技術】
【０００２】
空港において預けた手荷物は、到着した空港でベルトコンベア等に載せられる。搭乗客は、ベルトコンベアに載せられた多数の荷物の中から、自分の荷物を探し出し、受け取る。
【０００３】
また、預けた荷物には、荷物を識別する情報がタグ付けされ、それに対応する情報が搭乗客に渡される。
【０００４】
特許文献１には、荷物の搬出路上の引き取り可能位置にある手荷物についての情報を出力する仕組みについて記載がされている。
【先行技術文献】
【特許文献】
【０００５】
【特許文献１】特開平９−２４９３０９号公報
【発明の概要】
【発明が解決しようとする課題】
【０００６】
しかしながら、自分の手荷物が、いつ、どこにあるのかといった情報を提供する技術については記載がなく、自分の手荷物がいつ出てくるのか、いつ何処にあるのかといったことを把握することができず、効率的に手荷物受け取りをすることができない。
【０００７】
そこで、本発明は、自分の手荷物を効率的に受け取ることが可能な仕組みを提供することを目的とする。
【課題を解決するための手段】
【０００８】
本発明は、荷物が搬出される搬出路を撮影する複数の撮影装置と通信可能な情報処理装置であって、前記撮影装置により撮影された画像を取得する画像取得手段と、前記画像取得手段により取得された画像を解析することで、前記搬出路上の荷物を認識する認識手段と、前記認識手段により認識された荷物の持ち主に対して、当該持ち主の荷物の搬出が開始された旨の通知をする通知手段と、を備えることを特徴とする。
【０００９】
また、本発明は、荷物が搬出される搬出路を撮影する複数の撮影装置と通信可能な情報処理装置における情報処理方法であって、前記情報処理装置の画像取得手段が、前記撮影装置により撮影された画像を取得する画像取得工程と、前記情報処理装置の認識手段が、前記画像取得工程により取得された画像を解析することで、前記搬出路上の荷物を認識する認識工程と、前記情報処理装置の通知手段が、前記認識工程により認識された荷物の持ち主に対して、当該持ち主の荷物の搬出が開始された旨の通知をする通知工程と、を備えることを特徴とする。
【００１０】
また、本発明は、荷物が搬出される搬出路を撮影する複数の撮影装置と通信可能な情報処理装置において実行可能なプログラムであって、前記情報処理装置を、前記撮影装置により撮影された画像を取得する画像取得手段と、前記画像取得手段により取得された画像を解析することで、前記搬出路上の荷物を認識する認識手段と、前記認識手段により認識された荷物の持ち主に対して、当該持ち主の荷物の搬出が開始された旨の通知をする通知手段として機能させることを特徴とする。
【発明の効果】
【００１１】
本発明によれば、自分の手荷物を効率的に受け取ることが可能となる。
【図面の簡単な説明】
【００１２】
【図１】本発明のシステム構成を示す図。
【図２】情報処理装置１０１のハードウエア構成を示す図
【図３】画像を解析し、荷物情報を更新する処理を示すフローチャート
【図４】荷物が搬出路から取られた場合の通知処理を示すフローチャート
【図５】ユーザから荷物情報の取得要求があった場合の処理を示すフローチャート
【図６】搭乗者情報が登録された搭乗者情報テーブルの一例を示す図
【図７】荷物情報が登録された荷物情報登録テーブルの一例を示す図
【図８】カメラ情報が登録されたネットワークカメラテーブルの一例を示す図
【図９】航空便の情報が登録された便情報テーブルの一例を示す図
【図１０】搬出路の周回時間が登録されたテーブルの一例を示す図
【図１１】搬出路の周回速度が登録されたテーブルの一例を示す図
【図１２】ステップＳ３０７において表示される画面の一例を示す図
【図１３】ステップＳ２０７において搭乗者に対して送信されるメールの一例を示した図
【図１４】ステップＳ１０１において搭乗者が荷物情報の取得要求を出す際に用いられる端末１０３に表示される画面の一例を示した図
【図１５】荷物が搬出路から取られたことを示すイメージ図
【図１６】荷物が取られた位置を通知する画面の一例を示す図
【図１７】荷物の現在位置と所定時間後の位置とがマッピングされた画面の一例を示す図
【図１８】二次元コードの一例を示す図
【発明を実施するための形態】
【００１３】
図１は、本発明の概要を示す図である。
【００１４】
本発明におけるシステムは、情報処理装置１０１、ネットワークカメラ１０２、端末１０３から構成される。
【００１５】
情報処理装置１０１は、ネットワークカメラ１０２と端末１０３のそれぞれと通信可能に接続されている。
【００１６】
また、荷物１０５を乗せて運ぶレーン（搬出路）１０４があり、レーン１０４に乗せられた荷物１０５を、ネットワークカメラ１０２が撮影する。荷物１０５には、それぞれ二次元コード１０６が貼付されているものとする。二次元コードについては、図１８を用いて説明する。
図１８は、二次元コードの一例を示す図である。
【００１７】
二次元コードとは、例えば特開２００９−７８９７３号公報にあるように、複数種類のセルが配列されて構成されるコードのことをいう。特開２００９−７８９７３号公報に記載された二次元コードは、静止画中に当該二次元コードが含まれている場合、当該二次元コードのＩＤ（識別情報）と、当該二次元コードの静止画中の位置（座標）とが取得されるという特徴を有するものである。
【００１８】
なお、二次元コードについては、一度に複数のコードを認識できるものであればいずれでもよい。
【００１９】
図２を用いて、図１に示した情報処理装置１０１のハードウエア構成の一例について説明する。
【００２０】
図２において、２０１はＣＰＵで、システムバス２０４に接続される各デバイスやコントローラを統括的に制御する。また、ＲＯＭ２０３あるいは外部メモリ２１１には、ＣＰＵ２０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣの実行する機能を実現するために必要な各種プログラム等が記憶されている。
【００２１】
２０２はＲＡＭで、ＣＰＵ２０１の主メモリ、ワークエリア等として機能する。ＣＰＵ２０１は、処理の実行に際して必要なプログラム等をＲＯＭ２０３あるいは外部メモリ２１１からＲＡＭ２０２にロードして、該ロードしたプログラムを実行することで各種動作を実現するものである。
【００２２】
また、２０５は入力コントローラで、入力装置２０９等からの入力を制御する。２０６はビデオコントローラで、液晶ディスプレイ等のディスプレイ装置２１０への表示を制御する。なお、ディスプレイ装置は、液晶ディスプレイに限られず、ＣＲＴディスプレイなどであっても良い。これらは必要に応じてクライアントが使用するものである。
【００２３】
２０７はメモリコントローラで、ブートプログラム，各種のアプリケーション，フォントデータ，ユーザファイル，編集ファイル，各種データ等を記憶するハードディスク（ＨＤ）や、フレキシブルディスク（ＦＤ）、或いはＰＣＭＣＩＡカードスロットにアダプタを介して接続されるコンパクトフラッシュ（登録商標）メモリ等の外部メモリ２１１へのアクセスを制御する。
【００２４】
２０８は通信Ｉ／Ｆコントローラで、ネットワーク（例えば、図１に示したＬＡＮ４００）を介して外部機器と接続・通信するものであり、ネットワークでの通信制御処理を実行する。例えば、ＴＣＰ／ＩＰを用いた通信等が可能である。
【００２５】
なお、ＣＰＵ２０１は、例えばＲＡＭ２０２内の表示情報用領域へアウトラインフォントの展開（ラスタライズ）処理を実行することにより、ディスプレイ装置２１０上での表示を可能としている。また、ＣＰＵ２０１は、ディスプレイ装置２１０上の不図示のマウスカーソル等でのユーザ指示を可能とする。
【００２６】
ハードウエア上で動作する各種プログラムは、外部メモリ２１１に記録されており、必要に応じてＲＡＭ２０２にロードされることによりＣＰＵ２０１によって実行されるものである。
【００２７】
なお、全ての装置がこれらの構成を備えているわけではなく、必要なものを備えていればよい。
【００２８】
次に、図３に示すフローチャートを用いて、ネットワークカメラ１０２によって撮影された画像を解析し、荷物情報を更新する処理について説明する。
【００２９】
なお、図３のフローチャートに示す処理は、情報処理装置１０１のＣＰＵ２０１が所定の制御プログラムを読み出して実行する処理である。
【００３０】
ステップＳ１０１では、情報処理装置１０１のＣＰＵ２０１は、ネットワークカメラ１０２から画像を取得し、取得した画像から二次元コードを検出する。
【００３１】
ステップＳ１０２では、情報処理装置１０１のＣＰＵ２０１は、ステップＳ１０１で検出した二次元コードのＩＤを取得する。
【００３２】
ステップＳ１０３では、情報処理装置１０１のＣＰＵ２０１は、ステップＳ１０２で取得した二次元コードＩＤに基づき、図７の荷物情報テーブルから当該ＩＤに対応する荷物情報を取得する。
【００３３】
例えば、ステップＳ１０２で取得した二次元コードＩＤが「３０１」である場合、当該ＩＤに対応する荷物情報は、７０１で示すレコードである。
【００３４】
ステップＳ１０４では、情報処理装置１０１のＣＰＵ２０１は、ステップＳ１０３で取得した荷物情報について、撮影フラグの項目が「１」であるかを判断する。撮影フラグの項目は、すでに他のカメラ等で当該荷物を撮影済みである（すでに当該荷物の二次元コードを検出済みである）場合には、「１」が登録され、今回の検出が初めての検出である場合は「０」が登録されている項目である。
【００３５】
なお、撮影済みであるか否かの判断は、撮影フラグではなく、Ｘ座標、Ｙ座標の項目に値が登録されているか否かによって判断しても良い。Ｘ座標、Ｙ座標の項目は、撮影された画像において二次元コードが映っている位置を示す情報であり、撮影される度に登録・更新されるものである。
【００３６】
撮影フラグが１である場合（ステップＳ１０４：ＹＥＳ）は、処理をステップＳ１１１に移行する。
【００３７】
撮影フラグが０である場合（ステップＳ１０４：ＮＯ）は、処理をステップＳ１０５に移行する。
【００３８】
ステップＳ１０５では、情報処理装置１０１のＣＰＵ２０１は、ステップＳ１０１で受信した画像の送信元であるカメラのＩＰアドレスを取得する。
【００３９】
ステップＳ１０６では、情報処理装置１０１のＣＰＵ２０１は、ステップＳ１０５で取得したＩＰアドレスの情報から、カメラを特定する。
【００４０】
カメラ情報については、図８に示すカメラ情報テーブルに、カメラＩＤ、ＩＰアドレスなどが登録されている。このカメラ情報テーブルを用いて、カメラを特定する。
【００４１】
ステップＳ１０７では、情報処理装置１０１のＣＰＵ２０１はステップＳ１０６で特定されたカメラが、レーンの最初のネットワークカメラ１０２であるかを判断する。
【００４２】
最初のカメラであるか否かは、図８に示すカメラ情報テーブルの「最初」項目に、１が設定されているか否かにより判断する。図８の例では、１が設定されているカメラがレーンの最初のネットワークカメラであることを意味している。
【００４３】
最初のネットワークカメラである場合（ステップＳ１０７：ＹＥＳ）は、処理をステップＳ１０８に移行する。
【００４４】
最初のネットワークカメラではない場合（ステップＳ１０７：ＮＯ）は、処理をステップＳ１１３に移行する。
【００４５】
ステップＳ１０８では、情報処理装置１０１のＣＰＵ２０１は、ステップＳ１０３で取得した荷物情報から搭乗者コードを取得する。
【００４６】
ステップＳ１０９では、情報処理装置１０１のＣＰＵ２０１は、ステップＳ１０８で取得した搭乗者コードに対応付けられたメールアドレスを取得する。
【００４７】
メールアドレスは、図６に示す搭乗者情報テーブルに登録されているものとする。
【００４８】
ステップＳ１１０では、情報処理装置１０１のＣＰＵ２０１は、ステップＳ１０９で取得したメールアドレスに対して、荷物がレーンに乗って出てくる旨のメールを送信する。
【００４９】
このように、レーンの最初の位置に設置されたカメラによって初めて荷物が撮影された場合にメールにて荷物が出てくる旨の通知を出すことで、搭乗者に対して荷物が受け取り可能になったことを知らせることが可能となる。すなわち、当該通知がなされるまでは、搭乗者はレーンの近くで待機している必要がなく、通知がなされてからレーンに向かい荷物を取りに行けばよいため、効率的に行動することが可能となる。
【００５０】
ステップＳ１１１では、情報処理装置１０１のＣＰＵ２０１は、ステップＳ１０１で受信した画像の送信元であるカメラのＩＰアドレスを取得する。
【００５１】
ステップＳ１１２では、情報処理装置１０１のＣＰＵ２０１は、ステップＳ１０５で取得したＩＰアドレスの情報から、カメラを特定する。
【００５２】
カメラ情報については、図８に示すカメラ情報テーブルに、カメラＩＤ、ＩＰアドレスなどが登録されている。このカメラ情報テーブルを用いて、カメラを特定する。
【００５３】
ステップＳ１１３では、情報処理装置１０１のＣＰＵ２０１は、ステップＳ１０６、Ｓ１１２で特定したカメラＩＤと図８に示すカメラ情報テーブルとに基づき、当該特定されたカメラの次のカメラのＩＤを取得する。
【００５４】
例えば、図８の例では、カメラＩＤ：Ａ１のカメラの次のカメラは、カメラＩＤ：Ａ２となる。
【００５５】
ステップＳ１１４では、情報処理装置１０１のＣＰＵ２０１は、ステップＳ１１３で特定された次のカメラまでの時間を図８のカメラ情報テーブルから取得し、当該取得した時間と現在時刻とに基づき、当該次のカメラに荷物が到達する時刻を算出する。
【００５６】
ステップＳ１１５では、情報処理装置１０１のＣＰＵ２０１は、荷物情報テーブルの次のカメラＩＤと、次のカメラに到達する時刻と、撮影フラグと、Ｘ座標・Ｙ座標とを更新する。
【００５７】
以上の処理を、画像に含まれる全ての二次元コードに対して実行する。
【００５８】
次に図４のフローチャートを用いて、荷物がレーンから取られた場合の通知処理について説明する。
【００５９】
ステップＳ２０１では、情報処理装置１０１のＣＰＵ２０１は、図７に示す荷物情報のうち、撮影済みかつ荷物有（レーン上に荷物が有る）のレコードを取得する。
【００６０】
撮影済みか否かは、荷物情報テーブルにおける撮影フラグやＸ座標・Ｙ座標の項目に登録された情報から判断する。荷物の有無については、「有無」の項目に登録された情報から判断する。
【００６１】
そして、取得したレコードの全てに対して、ステップＳ２０３〜Ｓ２０８の処理を実行する（Ｓ２０２、Ｓ２０９）。
【００６２】
ステップＳ２０３では、情報処理装置１０１のＣＰＵ２０１は、処理対象のレコード（荷物情報）について、次のカメラまでに到達する時刻（次カメラ到達時刻）を取得する。
【００６３】
ステップＳ２０４では、情報処理装置１０１のＣＰＵ２０１は、ステップＳ２０３で取得した時刻と現在時刻とを比較し、現在時刻が到達時刻を過ぎているか否かを判断する。
【００６４】
到達時刻を過ぎている場合（ステップＳ２０４：ＹＥＳ）は、処理をステップＳ２０５に移行する。
【００６５】
到達時刻を過ぎていない場合（ステップＳ２０４：ＮＯ）は、次の荷物情報（レコード）に対して、Ｓ２０３〜Ｓ２０８の処理を実行する（Ｓ２０９、Ｓ２０２）。
【００６６】
すなわち、本来は次のカメラに到達している時刻であり、当該次のカメラによって撮影がなされるはずであるのに、まだ撮影されていない場合（ステップＳ２０４：ＹＥＳ）は、荷物がレーンから取られた（持ち出された）場合であるといえる。その場合には、ステップＳ２０５以降の処理を実行する。
【００６７】
他方、到達時刻が到来していない場合（ステップＳ２０４：ＮＯ）は、まだ荷物がレーンから取られたか否かを判定できないため、次の荷物に対する処理に移行する。なお、ホンフローチャートに示す処理は、常に繰り返し実行されるものとする。
【００６８】
ステップＳ２０５では、情報処理装置１０１のＣＰＵ２０１は、処理対象の荷物情報から搭乗者ＩＤを取得する。
【００６９】
ステップＳ２０６では、情報処理装置１０１のＣＰＵ２０１は、ステップＳ２０５で取得した搭乗者ＩＤに対応付けられたメールアドレスを、図６の搭乗者情報から取得する。
【００７０】
ステップＳ２０７では、情報処理装置１０１のＣＰＵ２０１は、ステップＳ２０６で取得したメールアドレスに対して、荷物の取られた旨のメールを送信する。メールの一例を図１３に示す。
【００７１】
このように、次のカメラに荷物が到達する（次のカメラによって撮影される）予定時刻になっても、荷物が撮影されない場合（Ｓ１１４において図７の荷物情報テーブルが更新されない場合）には、レーンの上から荷物が取られているものと言える。そして、搭乗者（荷物の持ち主）に対して荷物が取られたことを通知することで、「自分で荷物を取っていないのに通知がなされた＝荷物が他人に持っていかれた」ということを認識することが可能となる。
【００７２】
ステップＳ２０８では、情報処理装置１０１のＣＰＵ２０１は、処理対象の荷物情報について、荷物の有無情報を更新し、取られた区間の情報を追加登録する。
【００７３】
取られた区間は、どのカメラとどのカメラの間の区間で荷物が取られたかを示す情報である。
【００７４】
例えば、次カメラがＡ２として設定されていた荷物情報について、到達時刻になってもＡ２カメラによって撮影されなかった場合は、Ａ１カメラとＡ２カメラの間の区間で取られたと判断される。
以上の処理を実行し、次に荷物情報に対する処理を進める。
【００７５】
次に図５のフローチャートを用いて、ユーザ（搭乗者、荷物の持ち主）により荷物情報の取得要求があった場合の処理について説明する。
【００７６】
ステップＳ３０１では、情報処理装置１０１のＣＰＵ２０１は、荷物情報の取得要求に基づき、取得要求をした搭乗者のＩＤを取得する。例えばリクエスト情報に含まれる情報から、ＩＤを取得する。
【００７７】
取得要求は、例えば図１４に示す画面を介して行う。図１４に示す画面については、後述する。
【００７８】
ステップＳ３０２では、情報処理装置１０１のＣＰＵ２０１は、ステップＳ３０１で取得した搭乗者ＩＤにより識別される搭乗者情報を図６に示すテーブルから取得する。
【００７９】
ステップＳ３０３では、情報処理装置１０１のＣＰＵ２０１は、ステップＳ３０１で取得した搭乗者ＩＤを含む荷物情報を、図７のテーブルから取得する。複数の荷物情報が該当する場合は、当該複数の荷物情報を取得する。以降の処理については、当該複数の荷物に対して実行する。
【００８０】
ステップＳ３０４では、情報処理装置１０１のＣＰＵ２０１は、ステップＳ３０３で取得した荷物情報の撮影フラグまたはＸ座標・Ｙ座標を確認し、撮影済みの荷物であるか否かを判断する。
【００８１】
撮影済みである場合（ステップＳ３０４：ＹＥＳ）は、処理をステップＳ３０８に移行する。
【００８２】
撮影済みでない場合（ステップＳ３０４：ＮＯ）は、処理をステップＳ３０５に移行する。
【００８３】
ステップＳ３０５では、情報処理装置１０１のＣＰＵ２０１は、ステップＳ３０２で取得した搭乗者情報から、当該搭乗者が搭乗した便ＩＤを取得する。
【００８４】
ステップＳ３０６では、情報処理装置１０１のＣＰＵ２０１は、ステップＳ３０５で取得した搭乗便のＩＤに基づき、図９に示す搭乗便情報テーブルから、搭乗便情報を取得する。
【００８５】
ステップＳ３０７では、情報処理装置１０１のＣＰＵ２０１は、荷物準備中の旨を通知する画面（図１２）を作成し、情報取得要求をした搭乗者に対して通知する。
【００８６】
このように、まだ荷物がレーンに載せられていない時点では、準備中である旨を通知することで、搭乗者は、まだ荷物を取りに行かなくても良いということを認識することができる。
【００８７】
また、荷物の搬送が開始されたら通知する依頼をすることで、搭乗者は、荷物の準備が完了するまで他の作業をすることも可能となり、通知があったら荷物を取りに行けばよいため、効率的な荷物の受け取りが可能となる。
【００８８】
次にステップＳ３０４でＮＯと判断された場合の処理について説明する。
【００８９】
ステップＳ３０８では、情報処理装置１０１のＣＰＵ２０１は、ステップＳ３０３で取得した荷物情報の荷物の有無が、有であるか否かを判断する。すなわち、荷物が取られているか否かを判断する。
【００９０】
荷物がレーン上にある場合（ステップＳ３０８：ＹＥＳ）は、処理をステップＳ３０９に移行する。
【００９１】
荷物がすでに取られている場合（ステップＳ３０８：ＮＯ）は、処理をステップＳ３１５に移行する。
【００９２】
ステップＳ３０９では、情報処理装置１０１のＣＰＵ２０１は、搭乗者から荷物情報の取得要求があった時刻と、最後に当該荷物をカメラにより認識した時刻との時間差を算出する。
【００９３】
ステップＳ３１０では、情報処理装置１０１のＣＰＵ２０１は、ステップＳ３０９で算出した時間差と、レーンの速さとから、荷物の現在位置を特定するする。
【００９４】
ステップＳ３１１では、情報処理装置１０１のＣＰＵ２０１は、現在の荷物の位置と、レーンの速さとから、所定時間後の荷物の位置（例えば１０分後、２０分後などの位置）を特定する。
【００９５】
ステップＳ３１２では、情報処理装置１０１のＣＰＵ２０１は、ステップＳ３１１で特定した所定時間後の荷物の位置に、１周あたりの時間を追加することで、２周目、３周目における当該位置に到達する時間を算出する。
【００９６】
ステップＳ３１３では、情報処理装置１０１のＣＰＵ２０１は、ステップＳ３１０、Ｓ３１１、Ｓ３１２で算出した情報をマッピングしたマップを作成する。
【００９７】
ステップＳ３１４では、情報処理装置１０１のＣＰＵ２０１は、ステップＳ３１３で作成したマップを送信する（図１７）。
【００９８】
このように、自分の荷物が何分後に何処にあるのかを把握することが可能となることで、荷物を探す手間が省け、さらに荷物が回ってくるまで待機する必要もなくなることから、効率的に荷物の受け取りが可能となる。
【００９９】
ステップＳ３１５では、情報処理装置１０１のＣＰＵ２０１は、荷物が取られた区間を荷物情報テーブルから取得し、当該区間をマッピングしたマップを作成する。
【０１００】
ステップＳ３１６では、情報処理装置１０１のＣＰＵ２０１は、ステップＳ３１５で作成したマップを送信する（図１６）。
【０１０１】
このように、荷物が取られた区間を通知することで、荷物の持ち主は、どこで荷物が取られたか認識可能となる。荷物の持ち主は、自分では荷物を取っていないのに、当該通知を受け取った場合は、他人が自分の荷物を持っていったことを認識できるので、迅速に持ち去られた場合の対処が可能となる。また、どの区間で取られたかを認識できるので、持ち去った人物を特定したり、探し出したりすることも、より容易になる。
【０１０２】
図６は、搭乗者情報が登録された搭乗者情報テーブルの一例を示す図である。
【０１０３】
搭乗者情報は、搭乗者コード（ＩＤ）と、メールアドレスと、通知設定と、搭乗便等の情報から構成される。
【０１０４】
メールアドレスは、搭乗者に対して電子メールにて荷物情報を通知する際に用いられる。例えばステップＳ１１０やＳ２０７などの処理で用いられる。
【０１０５】
通知設定は、電子メールによる通知をするか否かを示す情報である。ＯＮとなっている場合に、ステップＳ１１０やＳ２０７において電子メールで通知がなされる。
【０１０６】
搭乗便は、搭乗者が搭乗している航空便を識別する情報である。
【０１０７】
図７は、荷物情報が登録された荷物情報テーブルの一例を示す図である。
【０１０８】
荷物情報は、荷物コード、搭乗者コード、搭乗便、撮影フラグ、Ｘ座標・Ｙ座標、次カメラ、次カメラ到達時刻、荷物の有無、荷物を取られた区間、荷物認識時刻などの情報から構成される。
荷物コードは、荷物を識別する情報である。
【０１０９】
搭乗者コードは、当該荷物の持ち主である搭乗者を識別する情報である。
【０１１０】
搭乗便は、当該荷物の持ち主が搭乗する搭乗便を識別する情報である。
【０１１１】
撮影フラグは、荷物がレーン上のネットワークカメラ１０２によって撮影されたか否かを示すフラグである。一度でも撮影された場合は「１」が登録され、まだ撮影されていない場合は「０」が設定されている。
【０１１２】
Ｘ座標・Ｙ座標は、ネットワークカメラ１０２によって撮影された画像における二次元コードが映っている位置を示す情報であり、撮影される度に登録・更新されるものである。
【０１１３】
次カメラは、レーン上のネットワークカメラのうち、次に当該荷物を撮影するカメラを示す情報である。例えば、Ａ１のネットワークカメラで撮影された場合は、次カメラはＡ２のカメラとなる。次カメラの情報は、カメラ情報テーブル（図８）に登録された情報に基づき設定される。
【０１１４】
次カメラ到達時刻は、次カメラによって荷物が撮影されるであろう時刻である。カメラ情報テーブルの次カメラまでの時間と、次カメラの情報とから算出される。
【０１１５】
荷物の有無は、レーン上に荷物が乗っているかを示す情報である。レーン上に荷物が乗っている場合は「有」が設定されている。「有」の状態とは、レーンにおける最初のネットワークカメラで撮影済みであり、かつレーン上から取られていない状態を意味する。他方、「無」とは、レーン上から荷物が取られたことを意味する。
【０１１６】
取られた区間は、荷物が取られた区間を示す情報である。例えばＡ３のネットワークカメラで撮影されたにもかかわらず、次カメラであるＡ４のネットワークカメラで撮影されなかった場合には、荷物が取られたと判断され、「無」が登録される。
【０１１７】
荷物認識時刻は、最後にネットワークカメラ１０２に荷物が撮影された時刻が登録される。
【０１１８】
図８は、カメラ情報が登録されたネットワークカメラテーブルの一例を示す図である。
【０１１９】
カメラ情報は、カメラＩＤ、最初フラグ、ＩＰアドレス、次カメラ、次カメラまでの時間などの情報から構成される。
【０１２０】
カメラＩＤは、ネットワークカメラを識別するための情報である。
【０１２１】
最初フラグは、レーンにおける最初のカメラであるかを示す情報である。「１」が登録されているネットワークカメラがレーンの最初のカメラであることを意味している。
【０１２２】
ＩＰアドレスは、ネットワークカメラのＩＰアドレスである。
【０１２３】
次カメラの項目には、レーンにおいて当該ネットワークカメラの次に位置するネットワークカメラのカメラＩＤが登録されている。例えばＡ１のネットワークカメラの次カメラはＡ２であることを意味している。次のネットワークカメラとは、レーンの進行方向に進んで次にあるネットワークカメラである。
【０１２４】
次カメラまでの時間の項目には、次のネットワークカメラまでレーン上の荷物が移動するのに、どれだけの時間かかるかが登録されている。
【０１２５】
例えばＡ１からＡ２までは３分間かかることを意味している。
【０１２６】
図９は、航空便の情報が登録された便情報テーブルの一例を示す図である。
【０１２７】
航空便情報は、便ＩＤ、レーン、到着時刻、準備完了時刻などの情報から構成される。
便ＩＤは、航空便を識別する情報である。
【０１２８】
レーンは、当該航空便に積載された荷物が載せられるレーンを示す情報である。
到着時刻は、当該航空便が到着する予定時刻である。
【０１２９】
準備完了時刻は、航空便に積載された荷物がレーンに載せれられて出てくる予定時刻である。
【０１３０】
図１０は、レーンの周回時間が登録されたテーブルの一例を示す図である。
レーン毎に、荷物が１周する時間が登録されている。
【０１３１】
図１１は、レーンの周回速度が登録されたテーブルの一例を示す図である。
レーン毎に、周回速度が登録されている。
【０１３２】
図１２は、ステップＳ３０７において表示される画面の一例を示す図である。図１２に示すように、荷物準備中である旨が記載されている。
【０１３３】
また、準備が整った場合（レーンに出てきたとき）にメールにてその旨の通知を受けたい場合には、ボタン１２０１を押下することで、メール通知を受けるよう設定することも可能となる。
【０１３４】
図１３は、ステップＳ２０７において搭乗者に対して送信されるメールの一例を示した図である。
【０１３５】
図１３に示すように、ステップＳ２０７では、荷物が持ち去られた旨の通知がなされる。具体的には、荷物ＩＤ、取られた時刻、取られたレーン情報が記載されている。
【０１３６】
また、メールに記載されたＵＲＬにアクセスすることで、取られた区間を示す画面が表示される。取られた区間を示す画面については、図１６に一例を示す。
【０１３７】
図１４は、ステップＳ１０１において搭乗者が荷物情報の取得要求を出す際に用いられる端末１０３に表示される画面の一例である。
【０１３８】
ＩＤ、パスワード欄に搭乗者ＩＤとパスワードを入力し、ログインボタンを押下することで、情報処理装置１０１に対して搭乗者ＩＤなどの情報が送信される。
【０１３９】
また、撮影開始ボタンを押下することで、端末１０３のカメラ機能が動作し、搭乗者が所持する二次元コードを読み込ませることでも、情報処理装置１０１に対して搭乗者ＩＤ（二次元コードから取得されるＩＤ）などの情報が送信されるものとする。
【０１４０】
図１５は、カメラＡ３とカメラＡ４の間の区間において、荷物がレーンから取られたことを示す図である。
【０１４１】
この場合、ステップＳ２０７において図１３に一例を示す電子メールが搭乗者に対して送信される。そして、電子メールに含まれるＵＲＬにアクセスすると、図１６に示す図が端末１０３に表示される（Ｓ３１５、Ｓ３１６）。
【０１４２】
図１６は、矢印１６０１で示す区間（斜線部分で示す区間）において、荷物が取られたことを通知する画面である。
【０１４３】
このように、荷物が取られたことを通知することで、他人が誤って自分の荷物を取っていった場合にも、すぐに気づくことが可能となる。また、荷物が取られた区間を通知することで、どのあたりで取られたのかを把握することが可能となり、自分の荷物を取っていった人物を見つけることが容易となる。
【０１４４】
図１７は、荷物の現在位置と所定時間後の位置とがマッピングされた画面の一例である。
【０１４５】
図１７の例では、現在位置と５分後の位置と１０分後の位置が表示されている。また、２０分後、２５分後、３０分後、４０分後、４５分後、５０分後の位置についても表示している。
【０１４６】
２０分後、４０分後の位置は、２周目、３周目において、現在位置と同じ場所に戻ってくることを意味している。同様に、２周目、３周目には、２５分後、４５分後に、５分後の位置と同じ場所に戻ってくることを意味している。３０分後、５０分後も同様である。
【０１４７】
なお、上述した各種データの構成及びその内容はこれに限定されるものではなく、用途や目的に応じて、様々な構成や内容で構成されることは言うまでもない。
【０１４８】
また、本発明におけるプログラムは、図３、図４の処理をコンピュータに実行させるプログラムである。なお、本発明におけるプログラムは、図３、図４の各処理ごとのプログラムであってもよい。
【０１４９】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読み出し、実行することによっても本発明の目的が達成されることは言うまでもない。
【０１５０】
この場合、記録媒体から読み出されたプログラム自体が本発明の新規な機能を実現することになり、そのプログラムを記録した記録媒体は本発明を構成することになる。
【０１５１】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク等を用いることが出来る。
【０１５２】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１５３】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１５４】
また、本発明は、複数の機器から構成されるシステムに適用しても、ひとつの機器から成る装置に適用しても良い。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【０１５５】
さらに、本発明を達成するためのプログラムをネットワーク上のサーバ、データベース等から通信プログラムによりダウンロードして読み出すことによって、そのシステムあるいは装置が、本発明の効果を享受することが可能となる。なお、上述した各実施形態およびその変形例を組み合わせた構成も全て本発明に含まれるものである。
【符号の説明】
【０１５６】
１０１  情報処理装置
１０２  ネットワークカメラ
１０３  端末
１０４  レーン
１０５  荷物
１０６  二次元コード
【図１】
0006413488.tif 000002
【図２】
0006413488.tif 000003
【図３】
0006413488.tif 000004
【図４】
0006413488.tif 000005
【図５】
0006413488.tif 000006
【図６】
0006413488.tif 000007
【図７】
0006413488.tif 000008
【図８】
0006413488.tif 000009
【図９】
0006413488.tif 000010
【図１０】
0006413488.tif 000011
【図１１】
0006413488.tif 000012
【図１２】
0006413488.tif 000013
【図１３】
0006413488.tif 000014
【図１４】
0006413488.tif 000015
【図１５】
0006413488.tif 000016
【図１６】
0006413488.tif 000017
【図１７】
0006413488.tif 000018
【図１８】
0006413488.tif 000019